(57)【要約】      （修正有）【課題】着衣の機能性並びに使用耐用年数を向上させることができるようにした防火服上着における袖口の改良構造の提供。【解決手段】上着の外衣または外衣と外衣に着脱可能にまたは縫い付けによって装着する内衣とによって構成される防火服の上着において、上着３０の外衣３１と内衣３２との本体部４３にそれぞれ装着される筒状の左，右袖３７，３８の袖口端部３７ａ，３８ａを、それぞれ筒状の外部筒体５０を介して互いに連結するとともに、内衣３２の左、右袖口端部３８ａにはそれぞれ接合連結部５４を介して着脱可能な筒状の内部筒体５５を設け、各内部筒体のそれぞれの先端部にはジャージなどの弾性素材からなる筒状の袖口部３９を設け、内衣３２の左、右袖口端部３８ａに接合連結した筒状の内部筒体５５及び筒状の袖口部３９を交換可能な構成とした。【選択図】図２
0003132957.tif 000002
【実用新案登録請求の範囲】
【請求項１】
上着の外衣または外衣と外衣に着脱可能にまたは縫い付けによって装着する内衣とによって構成される防火服の上着において、前記上着の外衣と内衣との本体部にそれぞれ装着される筒状の左，右袖の袖口端部を、それぞれ筒状の外部筒体を介して互いに連結するとともに、前記内衣の左、右袖口端部にはそれぞれ接合連結部を介して着脱可能な筒状の内部筒体を設け、該各内部筒体のそれぞれの先端部にはジャージなどの弾性素材からなる筒状の袖口部を設けたことを特徴とする防火服上着における袖口の改良構造。
【請求項２】
前記上着の外衣と内衣の本体部にそれぞれ装着される筒状の左，右袖の袖口端部に配設された外部筒体を、長手方向の一定位置で着脱自在な接合連結部を介して分離可能としたことを特徴とする請求項１記載の防火服上着における袖口の改良構造。
【請求項３】
前記着脱自在な接合連結部は、面ファスナー又はホックであることを特徴とする請求項１又は２記載の防火服上着における袖口の改良構造。
【請求項４】
前記外衣の左，右袖の袖口端部に配設される外部筒体の先端部内面には袖口見返しが縫いつけられていることを特徴とする請求項１に記載の防火服上着における袖口の改良構造。
【考案の詳細な説明】
【技術分野】
【０００１】
この考案は、消防隊員などが一般火災の消火活動時等に着用する防火服の改良に係り、特に上着の袖口を改良することで着衣の機能性並びに防火服の使用耐用年数を向上させることができるようにした防火服上着における袖口の改良構造に関する。
【背景技術】
【０００２】
従来、防火服の上着として、左，右前身頃および後身頃を有する本体部に左，右袖を取付けた外衣と内衣とを備え、外衣の本体部裏面に内衣の本体部を面ファスナーあるいはホックなどにより着脱可能に保持させ、外衣の左，右袖内に内衣の左，右袖を着脱可能に嵌めたもの、或いは外衣と内衣とを縫製によって一体に固定し分離不能としたものが一般に用いられている。
そして、外衣はアラミド繊維などの断熱性に優れた難燃繊維生地またはアラミド繊維の上面にアルミニウムの蒸着を施した非通気性の生地を使用することで、耐炎性を向上させ、内衣は、耐熱性，断熱性のすぐれた透湿防水生地を用いて構成しているのが一般的であり、改良した消防服の考案として、本件出願人が先に特願平７―１４４９２０号、特願平７―１６２５８１号として提供したものがある。
【０００３】
また、前述のような外衣と内衣とを組み合わせて構成した防火服にあっては、
外衣の左，右袖内に内衣の左，右袖を重ね合わせる構成であるため、外衣の左，右袖と内衣の左，右袖との間の隙間を通って、裾口部より火の粉の侵入、熱の侵入、水の浸入、薬剤の侵入があるためこれを防止するために、本件出願人が先に特願平１０―２０５９７６号として提供した防火服がある。
即ち、図６に示すように、内衣の左，右袖１０外周面の袖口端部１１近くに難燃性の網状体で通気性を有する左，右連通筒１２の基端部をそれぞれ連結し、左，右袖１０の袖口端部１１には先端側に突出するジャージなどの弾性素材で構成された拡径可能な左，右袖口筒１３を内，外２重に折り返して連結し、左，右連通筒１２の先端と、外衣の左，右袖１４の先端部に設けた筒状の袖口布１５とを、これらの周方向全体にわたって、袖口用ベルベット式ファスナー１６によって着脱自在に連結した構成のものが提案されている。
【特許文献１】特願平７−１４４９２０号
【特許文献２】特願平７−１６２５８１号
【特許文献３】特願平１０−２０５９７６号
【考案の開示】
【考案が解決しようとする課題】
【０００４】
以上のように縫製された、従来の防火服の上着における内衣の袖口端部１１にあっては、左，右袖１０の連通筒１２から先端側に突出するジャージなどの弾性素材によって形成される拡径可能な左，右袖口筒１３を、内，外２重に折り返して連結し、左，右連通筒１２の先端部と、外衣の左，右袖１４の先端部に設けた筒状の袖口布１５とを、これらの周方向全体にわたって、袖口用ベルベット式ファスナー１６によって着脱自在に連結してあるため、内衣と外衣のそれぞれの左，右袖の連結を簡単に外すことが可能であり、外衣と内衣とを互いに分離することができる。
【０００５】
しかしながら、防火服の上着の長年の使用に伴い、外衣の表面布地と違って、耐久性の劣る弾性素材生地で成形された内衣の左，右袖１０の連通筒１２から先端側に突出させて縫製したジャージなどの拡径可能な左，右袖口筒１３は、何回もの洗濯工程を経るうちに完全に伸び切ってしまったり、破けたりして本来の拡径可能な左，右袖口筒１３としての機能が失われてしまい、作業中に思わぬ事故のもとになる恐れがある。
また、左，右袖１０の左，右袖口筒１３の破損に伴う修繕にあっては、左，右袖１０の袖口端部１１に縫い付けた連通筒１２と左，右袖口筒１３を新しいものに変更して付け替える必要があるが、これらは全て左，右袖１０の袖口端部１１に縫い付けた状態で固着してあるので、簡単に修繕をすることはできず、専門の修繕縫製が必要となり、修繕期間が長くなり、修繕コストが高くなる。
【０００６】
従って、この考案では防火服の上着において、前記上着の外衣と内衣の本体部にそれぞれ装着される筒状の左，右袖の袖口端部を筒状の外部筒体を介して互いに連結するとともに、前記内衣の袖口端部には接合連結部を介して着脱可能な筒状の内部筒体を設け、該内部筒体の先端部にはジャージなどの弾性素材からなる袖口筒を設けた構成とすることで、内衣の左，右袖の左、右袖口筒を極めて容易に新しい左、右袖口筒と交換可能にすることができるようにした防火服上着における袖口の改良構造を提供することを目的とする。
【課題を解決するための手段】
【０００７】
請求項１の考案は、上着の外衣または外衣と外衣に着脱可能にまたは縫い付けによって装着する内衣とによって構成される防火服の上着において、前記上着の外衣と内衣の本体部にそれぞれ装着される筒状の左，右袖の袖口端部を筒状の外部筒体を介して互いに連結するとともに、前記内衣の袖口端部には接合連結部を介して着脱可能な筒状の内部筒体を設け、該内部筒体の先端部にはジャージなどの弾性素材からなる筒状の袖口部を設けたことを特徴とする。
【０００８】
請求項２の考案は、請求項１に記載の防火服上着における袖口の改良構造において、前記上着の外衣と内衣の本体部にそれぞれ装着される筒状の左，右袖の袖口端部に配設された筒状の外部筒体を、長手方向の一定位置で着脱自在な接合連結部を介して分離可能としたことを特徴とする。
【０００９】
請求項３の考案は、請求項１又は２に記載の防火服上着における袖口の改良構造において、前記着脱自在な接合連結部は面ファスナー又はホックで形成されていることを特徴とする。
【００１０】
請求項４の考案は、請求項１に記載の防火服上着における袖口の改良構造において、前記外衣の左，右袖の袖口端部に配設される筒状の外部筒体の先端部内面には袖口見返しが縫いつけられていることを特徴とする。
【考案の効果】
【００１１】
本考案の防火服上着における袖口の改良構造によれば、防火服の上着の長年の使用に伴い、外衣の表面布地と違って、耐久性の劣る弾性素材からなる生地で成形された左，右袖口筒としての機能が失われた部分を、接合連結部を介して新規な袖口筒と極めて容易に交換が可能となることで、専門的な修繕縫製が不必要となり、修繕コストが安くなる効果がある。
【考案を実施するための最良の形態】
【００１２】
以下、この考案の防火服上着における袖口の改良構造の実施例について、図１〜図５を参照して詳細に説明する。
【実施例１】
【００１３】
図１はこの考案の第１実施例に係る防火服上着における袖口の改良構造の外衣と内衣とが分離可能に構成された防火服の外衣の正面図、図２は同じく袖口部分を縦断して示す要部断面図、図３は同じく袖口部分を示し、外衣の袖口部分を捲り上げた状態の要部の正面図である。
【００１４】
以下、この考案に係る防火服上着における袖口の改良構造の第１実施例について、分離可能な外衣と内衣とで構成される防火服について、図１〜図３を参照して説明する。
図中、３０は防火服の上着であって、該上着３０は、外衣３１と内衣３２とから構成されており、外衣３１は、左，右前身頃３３、後身頃３４、左，右肩布３５、衿３６と、外衣３１の左，右袖３７、および内衣３２の左，右袖３８と、前記内衣３２の左，右袖３８の先端側に突出する左，右袖口布３９と、左，右まち部４０、左，右見返し４１、前当て布４２等により本体部が形成されており、この本体部４３にポケット４４、これらのフラップ４４ａ、ベルト返し用のループ部４５、反射シート４６が付加されて構成されたものである。
【００１５】
前記防火服の上着３０は、アルミナイズドされたポリベンゾオキサゾール（ＰＢＯ）繊維から構成される表地とフッソ多孔質フィルムをアラミド繊維からなる布帛に加工した中間地と、アラミド繊維混紡の不織布とアラミド繊維からなる布帛をキルティングした裏地とが使用されている。
【００１６】
前記外衣３１の内側に重ねる内衣３２は、左，右前身頃３３と後身頃３４とを縫い付けて本体部４３を構成し、本体部４３の上部左，右両側に袖ぐりを形成し、これらの袖ぐりの周縁部には、左，右袖３７の基端部を周方向の大部分に左，右まち部４０を介して連結してある。
【００１７】
この考案では、前記内衣３２の本体部と外衣３１の本体部４３とを内，外に重ねると共に、内衣３２の左，右袖３８を外衣３１の左，右袖３７内にそれぞれ嵌め、内衣３２を外衣３１に対し図２に示すように着脱可能にしてある。
すなわち、内衣３２の左，右前身頃３２の下端部より対向側縁および後身頃３４の上縁部と、外衣３１の左，右前見返し４１の下端部より上の対向側部および後見返しの下縁部とを、一連の装着用ファスナーよって内衣３２の本体部を外衣３１の本体部４３に着脱可能に装着してある。
【００１８】
また、図２に示すように、前記上着３０の外衣３１の本体部４３にそれぞれ装着される筒状の左，右袖３７，３７と、内衣３２の本体部にそれぞれ装着される筒状の左，右袖３８，３８の袖口先端部３７ａ，３７ａ、３８ａ，３８ａの隙間を閉塞するために、防水性を有する布地あるいは樹脂製繊維生地などにより形成された筒状の外部筒体５０が配設されている。
【００１９】
前記筒状の外部筒体５０は、ほぼ中央部で先端筒５１、後端筒５２に分離可能に形成されており、前記袖口先端部３７ａ，３７ａの内面側に先端筒５１の先端部を縫い付け固着し、前記内衣３８の袖口先端部の外面に後端筒５２後端部を縫い付け固着してあり、前記先端筒５１、後端筒５２の遊端部は面ファスナー，ホックなどの接合連結部５３を介して着脱自在に結合されている。
前記筒状の外部筒体５０の中央部に設けた接合連結部５３での着脱により外衣３１と内衣３２との分離が可能な防火服の上着３０となる。
【００２０】
前記内衣３２の袖口先端部３８ａには、防水性を有する布地あるいは樹脂製繊維生地などにより形成され、且つ面ファスナー，ホックなどの接合連結部５４を介して着脱可能に形成された筒状の内部筒体５５の後端部５５ａが着脱可能に結合されており、該内部筒体５５の先端部５５ｂにはジャージなどの弾性素材からなる筒状の袖口部３９が内，外２重に折り返して連結し設けられている。
【００２１】
前記構成とすることで、防火服の長年の使用に伴って、ジャージなどの弾性素材からなる筒状の袖口部３９が破損したような場合は、図３に示すように外衣３１の袖３７を捲くり上げて、前記内衣３２の袖口先端部３８ａの面ファスナー，ホックなどの接合連結部５４を介して筒状の内部筒体５５及びジャージなどの弾性素材からなる筒状の袖口部３９を取り外し、同構成の新品の内部筒体５５及び袖口部３９と容易に交換ができる。
【実施例２】
【００２２】
図４〜５は、本考案の第２実施例を示すもので、防火服の上着の構成が外衣と内衣とかなるものにおいて、外衣と内衣とが互いに分離できない状態に縫製された防火服上着における袖口の改良構造である。
【００２３】
第２実施例において、第１実施例と異なるところは、外衣３１と内衣３２の袖３７，３８間に配設される外部筒体５０が、一定位置となる中間部などで分離できない一体構成の筒状の外部筒体５０構成となっている点にある。
その他の構成は、前述の第１実施例と同様なので、同一部分には同一符号を付してその詳細を省略する。
【００２４】
この第２実施例においても、防火服の長年の使用に伴って、ジャージなどの弾性素材からなる筒状の袖口部３９が破損したような場合は、図５に示すように外衣３１の袖３７を捲くり上げて、前記内衣３２の袖口先端部３８ａの面ファスナー，ホックなどの接合連結部５４を介して筒状の内部筒体５５及びジャージなどの弾性素材からなる筒状の袖口部３９を取り外し、同構成の新品の内部筒体５５及び袖口部３９と容易に交換ができる。
【図面の簡単な説明】
【００２５】
【図１】この考案の第１実施例に係る防火服上着における袖口の改良構造の外衣と内衣とで構成される防火服の外衣の正面図である。
【図２】同じく袖口部分を縦断して示す要部断面図である。
【図３】同じく袖口部分を示し、外衣の袖口部分を捲り上げた状態の要部の正面図である。
【図４】この考案の第２実施例に係る防火服上着における袖口の改良構造の袖口部分を縦断して示す要部断面図である。
【図５】図４と同じく袖口部分を示し、外衣の袖口部分を捲り上げた状態の要部の正面図である。
【図６】従来例の防火服の上着である外衣と内衣と組合わせた状態における袖口部分を縦断して示す要部断面図である。
【符号の説明】
【００２６】
３０    防火服の上着
３１    外衣
３２    内衣
３３    左，右前身頃
３４    後身頃
３５    左，右肩部
３６    衿
３７    外衣の左，右袖
３８    内衣の左，右袖
３９    左，右袖口布
４０    左，右まち部
４１    左，右前見返し
４２    当て布
４３    本体部
５０    筒状の外部筒体
５５    筒状の内部筒体
５３，５４    接合連結部
【図１】
0003132957.tif 000003
【図２】
0003132957.tif 000004
【図３】
0003132957.tif 000005
【図４】
0003132957.tif 000006
【図５】
0003132957.tif 000007
【図６】
0003132957.tif 000008
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
外衣に着脱可能にまたは縫い付けによって装着する内衣とによって構成される防火服の上着において、前記上着の外衣と内衣との本体部にそれぞれ装着される筒状の左，右袖の袖口端部を、それぞれ筒状の外部筒体を介して互いに連結するとともに、前記内衣の左、右袖口端部にはそれぞれ接合連結部を介して着脱可能な筒状の内部筒体を設け、該各内部筒体のそれぞれの先端部にはジャージなどの弾性素材からなる筒状の袖口部を設けたことを特徴とする防火服上着における袖口の改良構造。
【請求項２】
前記上着の外衣と内衣の本体部にそれぞれ装着される筒状の左，右袖の袖口端部に配設された外部筒体を、長手方向の一定位置で着脱自在な接合連結部を介して分離可能としたことを特徴とする請求項１記載の防火服上着における袖口の改良構造。
【請求項３】
前記着脱自在な接合連結部は、面ファスナー又はホックであることを特徴とする請求項１又は２記載の防火服上着における袖口の改良構造。
【請求項４】
前記外衣の左，右袖の袖口端部に配設される外部筒体の先端部内面には袖口見返しが縫いつけられていることを特徴とする請求項１に記載の防火服上着における袖口の改良構造。
【手続補正２】
【補正対象書類名】明細書
【補正対象項目名】０００７
【補正方法】変更
【補正の内容】
【０００７】
請求項１の考案は、外衣に着脱可能にまたは縫い付けによって装着する内衣とによって構成される防火服の上着において、前記上着の外衣と内衣の本体部にそれぞれ装着される筒状の左，右袖の袖口端部を筒状の外部筒体を介して互いに連結するとともに、前記内衣の袖口端部には接合連結部を介して着脱可能な筒状の内部筒体を設け、該内部筒体の先端部にはジャージなどの弾性素材からなる筒状の袖口部を設けたことを特徴とする。